(57)【要約】【課題】簡素な構成により、抜群の安定感で転倒することを確実に防止して載置することのできる液体容器、及び、その被覆カバー部材を提供することを目的とする。【解決手段】液体を貯溜可能な容器本体１２を備えた液体容器１１であって、上記容器本体１２の側壁部分１６に、上記容器本体１６を載置面に対して傾けた姿勢で突張り支持する支持部材２７を備え、上記支持部材２７を、上記容器本体１２を突張り支持する突張支持姿勢、或いは、上記側壁部分１６に対して対向する対向姿勢に変更可能に上記容器本体１２に枢着部１９によって枢着した液体容器１１。【選択図】図１
2009208810.tif 000002
【特許請求の範囲】
【請求項１】
液体を貯溜可能な容器本体を備えた液体容器であって、
上記容器本体の側壁部分に、上記容器本体を載置面に対して傾けた姿勢で突張り支持する支持部材を備え、
上記支持部材を、上記容器本体を突張り支持する突張支持姿勢、或いは、上記側壁部分に対して対向する対向姿勢に変更可能に上記容器本体に枢着部によって枢着した
液体容器。
【請求項２】
上記支持部材を上記突張支持姿勢に保つ支持姿勢保持手段を、上記容器本体に備えた
請求項１に記載の液体容器。
【請求項３】
上記支持姿勢保持手段を、上記側壁部分と上記支持部材とに連結した紐状保持手段により構成し、
上記紐状保持手段を、突張支持姿勢において上記側壁部分と上記支持部材との間で張架される長さで形成した
請求項２に記載の液体容器。
【請求項４】
上記支持姿勢保持手段を、上記側壁部分と上記支持部材とに連結する棒状部を備えた棒状保持手段により構成し、
上記支持部材の枢動に連動してスライド可能に上記棒状保持手段を保持するスライド許容保持部を、上記側壁部分、及び、上記支持部材のうち一方の側に備えた
請求項２に記載の液体容器。
【請求項５】
上記支持部材を上記容器本体に対して突き出し方向へ付勢する付勢手段を、上記容器本体に備え、
上記付勢手段の付勢力に抗して上記支持部材を解除可能に上記対向姿勢に保持する対向姿勢保持手段を、上記容器本体に備えた
請求項１から請求項４のうちいずれか１項に記載の液体容器。
【請求項６】
上記対向姿勢保持手段を、撓み変形により互いに取り外し可能に係合する係合部と被係合部とで形成し、
上記係合部を、上記側壁部分と上記支持部材のうちいずれか一方の側に構成し、
上記被係合部を、上記一方の側とは異なる他方の側に構成した
請求項５に記載の液体容器。
【請求項７】
上記側壁部分に対する上記支持部材の最大回動角度を調節可能な角度調節手段を、上記側壁部分と上記支持部材のうち少なくとも一方の側に備えた
請求項１から請求項６のうちいずれか１項に記載の液体容器。
【請求項８】
上記容器本体の上記側壁部分にベース部材を装着し、
上記支持部材を、上記ベース部材に上記枢着部を介して枢着し、
上記支持部材と上記ベース部材とを備えた支持構造体を構成した
請求項７に記載の液体容器。
【請求項９】
上記容器本体の少なくとも上記側壁部分を被覆する被覆カバー部材を備え、
上記ベース部材を上記被覆カバー部材の上記側壁部分を被覆する側壁被覆部分に装着した
請求項８に記載の液体容器。
【請求項１０】
上記容器本体と上記支持部材とのうち少なくとも一方の側の載置面との接触部分に、滑止手段を備えた
請求項１から請求項９のうちいずれか１項に記載の液体容器。
【請求項１１】
容器本体の少なくとも側壁部分を被覆する側壁被覆部分を備えた液体容器の被覆カバー部材であって、
上記側壁被覆部分にベース部材を装着し、
上記容器本体を載置面に対して傾けた姿勢で突張り支持する支持部材を、上記ベース部材に備え、
上記支持部材を、上記容器本体を突張り支持する突張支持姿勢、或いは、上記側壁部分に対して対向する対向姿勢に変更可能に上記容器本体に枢着部によって枢着した
液体容器の被覆カバー部材。
【発明の詳細な説明】
【技術分野】
【０００１】
この発明は、携帯用飲料容器として屋外で用いるに好適な液体容器、及び、その被覆カバー部材に関し、さらに詳しくは、容器本体を転倒せずに安定して載置することのできる液体容器、及び、その被覆カバー部材に関する。
【背景技術】
【０００２】
液体容器は、内部に液体を貯溜しているため、転倒したときの衝撃により容器本体が破損したり、蓋が開いて液体が漏れてしまうという難点があった。  
特に、水筒や携帯用魔法瓶などの携帯用飲料容器は、例えば、縦長に形成することにより、持ち運びし易い形態であるものが多いが、その反面で、重心が高くなり転倒し易い形態になるといわざるを得ない。
【０００３】
しかも、屋外では、傾斜や凹凸の有する載置面、或いは、柔軟な載置面が殆どであるため、より一層、転倒し易かった。
【０００４】
このような課題に対して、下記特許文献１において、転倒を効果的に防止することのできる飲料容器支持具が開示されている。
【０００５】
上記飲料容器支持具は、飲料量容器底部に備えた基台と、該基台に対して脚部を外側へ突出可能な複数の脚とにより構成している。  
上記飲料容器支持具は、外側へ突出した複数の脚により飲料容器を支持するため、飲料容器を起立した状態で安定して載置することができる。
【０００６】
しかし、飲料容器は、上記飲料容器支持具により支持されたときも、起立した状態となるため、重心が高いままであり、また、周方向いずれの側に作用する力に対しても、起立した状態に支持しておく必要がある。
【０００７】
よって、その分だけ複数の脚を、周方向全体に亘って備える必要があるとともに、より外側へ突出しなければ、転倒してしまうおそれがあるため、結果的に、構成が大掛かりで複雑になってしまうという難点を有する。
【０００８】
しかも、複数の脚を飲料容器本体に退避可能に構成しているため、さらに構成が複雑になり、結果的に、故障の原因や、コストが高くなるといった難点が生じる。
【特許文献１】特開平０８−２８０５１９号公報
【発明の開示】
【発明が解決しようとする課題】
【０００９】
そこでこの発明は、簡素な構成により、抜群の安定感で転倒することを確実に防止して載置することのできる液体容器、及び、その被覆カバー部材を提供することを目的とする。
【課題を解決するための手段】
【００１０】
本発明は、液体を貯溜可能な容器本体を備えた液体容器であって、上記容器本体の側壁部分に、上記容器本体を載置面に対して傾けた姿勢で突張り支持する支持部材を備え、上記支持部材を、上記容器本体を突張り支持する突張支持姿勢、或いは、上記側壁部分に対して対向する対向姿勢に変更可能に上記容器本体に枢着部によって枢着して構成した液体容器であることを特徴とする。
【００１１】
上記支持部材は、載置面に対して傾けた姿勢の上記容器本体を突張り支持可能な部材であれば、その材質、形態について特に限定しない。例えば、支持部材の材質については、樹脂、金属、木材などで形成することができ、形態については、例えば、板状、針金などの棒線状などの形態で形成することができる。
【００１２】
本発明の液体容器は、支持部材を突張り支持姿勢とし、該支持部材によって上記容器本体を載置面に対して傾けた姿勢で突張り支持することができる。
【００１３】
このように上記容器本体を傾けた姿勢で載置することにより、起立した姿勢で載置するよりも重心が低い状態に保つことができる。さらに、容器本体を傾けた姿勢で載置することにより、支持部材に容器本体から寄りかかる荷重が加わる力を利用して、支持部材を、容器本体と載置面との間でしっかりと突っ張り支持させることができる。
【００１４】
さらに、液体容器は、載置面に載置したとき、支持部材と容器本体との双方が載置面に接触した状態でしっかりと載置することができる。
【００１５】
従って、液体容器は、凹凸や傾斜の有する載置面や、ガタが生じたり、柔らかな不安定な載置面に載置した場合であっても、転倒することなく安定して載置することができ、さらに、屋外で風の吹く状況下で使用した場合や、不測に人等が接触して外力が加わった場合であっても、転倒することなく安定して載置することができる。
【００１６】
また、上述したように容器本体を傾けた形態で載置することにより、支持部材は、容器本体を支持するために、容器本体の周方向全体に亘って複数、突出した形態で形成する必要がない。すなわち、液体容器は、容器本体を傾けたとき、寄りかかる側のみを支持すれば、安定して載置することができるため、容器本体を安定して載置できる構造を簡素な構成で実現することができる。
【００１７】
その他にも、液体容器を販売時に展示台に陳列したとき、容器本体を傾けた状態で載置することもできる。これにより、客の目を惹き易くなり、商品アピール性を他の起立して載置する通常の液体容器と比較して抜群に向上させることができるといった効果を得ることができる。
【００１８】
本発明の態様として、上記支持部材を上記突張支持姿勢に保つ支持姿勢保持手段を、上記容器本体に備えることができる。
【００１９】
上記支持姿勢保持手段により、例えば、容器本体側から押さえ付ける力が加わっても支持部材が不測に枢動することなく、該支持部材を突張り支持姿勢の状態にしっかりと保つことができる。このため、容器本体を、より一層、安定した載置状態に保つことができる。
【００２０】
さらに、上記支持姿勢保持手段により支持部材を突張り支持姿勢に確実に保持することができるため、容器本体を載置面に載置する際においても、支持部材を側壁部分に対して開けるだけで意識せずともスムーズ、且つ、正確に対向姿勢から突張り支持姿勢へ姿勢変更することができる。
【００２１】
また、本発明の態様として、上記支持姿勢保持手段を、上記側壁部分と上記支持部材とに連結した紐状保持手段により構成し、上記紐状保持手段を、突張支持姿勢において上記側壁部分と上記支持部材との間で張架される長さで形成することができる。
【００２２】
上記紐状保持手段は、紐状の部材は勿論、その他にも帯状や鎖状の部材をも含み、さらに、ゴム紐など伸縮性の有する部材も含む。さらにまた、上記帯状部材は、ベルトやバンドの他にも、テープ状の薄肉な部材も含む。
【００２３】
上記構成により、支持部材を突張支持姿勢としたとき、上記側壁部分と上記支持部材との間で紐状保持手段が張架されるため、支持部材を突張支持姿勢の状態に保持することができる。
【００２４】
これに対して、支持部材を、対向姿勢とする場合には、紐状保持手段は、紐状であるため、上記側壁部分と上記支持部材との間の距離に応じて弛んだ状態となる。このため、紐状保持手段が邪魔になることなく、スムーズに支持部材の姿勢変更を行うことができる。
【００２５】
本発明の態様として、上記支持姿勢保持手段を、上記側壁部分と上記支持部材とに連結する棒状部を備えた棒状保持手段により構成し、上記支持部材の枢動に連動してスライド可能に上記棒状保持手段を保持するスライド許容保持部を、上記側壁部分、及び、上記支持部材のうち一方の側に備えることができる。
【００２６】
上記棒状保持手段は、例えば、合成樹脂、金属、或いは、木材などの素材により形成することができる。
【００２７】
上記棒状保持手段は、上記支持部材の枢動に連動して動作するため、上記側壁部分と上記支持部材との間で邪魔になることない。よって、対向姿勢と突張り支持姿勢との間でスムーズに支持部材の姿勢変更をすることができる。
【００２８】
さらに、スライド許容保持部によって上記棒状保持手段を保持することができるとともに、上記棒状部により支持部材が側壁部分に対して過度に開くことを阻止できるため、支持部材を突張支持姿勢の状態にしっかりと保持することができる。
【００２９】
本発明の態様として、上記支持部材を上記容器本体に対して突き出し方向へ付勢する付勢手段を、上記容器本体に備え、上記付勢手段の付勢力に抗して上記支持部材を解除可能に上記対向姿勢に保持する対向姿勢保持手段を、上記容器本体に備えることができる。
【００３０】
上記対向姿勢保持手段により、上記支持部材を対向姿勢としたとき、容器本体に対して不用意にガタついたり、開いたりすることなく該支持部材を上記対向姿勢にしっかりと保持しておくことができる。
【００３１】
さらに、対向姿勢保持手段による保持を解除すれば、上記付勢手段の付勢力を利用して支持部材を自発的に上記突張り支持姿勢へ変更することができる。このため、支持部材をいちいち手動で側壁部分に対して開ける手間を必要とせず、対向姿勢から突張り支持姿勢へ容易に姿勢変更することができる。
【００３２】
本発明の態様として、上記対向姿勢保持手段を、撓み変形により互いに取り外し可能に係合する係合部と被係合部とで形成し、上記係合部を、上記側壁部分と上記支持部材のうちいずれか一方の側に構成し、上記被係合部を、上記一方の側とは異なる他方の側に構成することができる。
【００３３】
上記対向姿勢保持手段を、上記係合部と上記被係合部とで形成し、これら係合部と被係合部とを互いに取り外し可能に係合することにより、撓み変形による復元力を利用して上記支持部材をしっかりと上記対向姿勢に保つことができる。
【００３４】
さらにまた、上記対向姿勢保持手段は、撓み変形による復元力を利用して上記係合部と上記被係合部とを着脱可能に構成しているため、簡素な構成で構成することができる。
【００３５】
本発明の態様として、上記側壁部分に対する上記支持部材の最大回動角度を調節可能な角度調節手段を、上記側壁部分と上記支持部材のうち少なくとも一方の側に備えることができる。
【００３６】
上記角度調節手段により、上記側壁部分に対する上記支持部材の最大回動角度を調節することができる。このため、液体容器は、載置面の形態、載置可能なスペース、容器本体に貯溜された液体の容量などに応じて上記側壁部分に対する上記支持部材の最大回動角度を適切な角度に設定して安定して載置することができる。
【００３７】
本発明の態様として、上記容器本体の上記側壁部分にベース部材を装着し、上記支持部材を、上記ベース部材に上記枢着部を介して枢着し、上記支持部材と上記ベース部材とを備えた支持構造体を構成することができる。
【００３８】
支持部材、及び、ベース部材を一体に備えた支持構造体を構成しているため、このような支持構造体の上記ベース部材を容器本体に装着するだけで、支持部材を備えた液体容器を容易に構成することができる。
【００３９】
すなわち、支持部材や枢着部などを１つの支持構造体に備えることによってモジュール化することができるため、液体容器を容易に製造することができる。
【００４０】
なお、上記ベース部材の液体容器本体に対する装着方法は、テープ、接着剤による貼付、ビス留め、熱溶着などの方法で装着することができるが、その方法は、特に限定しない。
【００４１】
本発明の態様として、上記容器本体の少なくとも上記側壁部分を被覆する被覆カバー部材を備え、上記ベース部材を上記被覆カバー部材の上記側壁部分を被覆する側壁被覆部分に装着することができる。
【００４２】
上記容器本体を被覆カバー部材で被覆するだけで、容器本体の側壁部分に支持構造体を備えることができる。このため、容器本体の側壁部分に直接、上記ベース部材を装着する必要がなく容器本体から被覆カバー部材を取り外すだけで支持構造体も取り外すことができ、しかも、取り外した後に容器本体にベース部材を装着していた痕跡が残ることもない。
【００４３】
よって通常は、被覆カバー部材を被覆せずに、支持部材などを具備しない通常の液体容器として用い、外出先で載置するときに必要に応じて被覆カバー部材を被覆して支持部材を用いて載置することができる。
【００４４】
逆に必要に応じて被覆カバー部材を上記容器本体から取り外せば、載置面に接触して汚れ易い支持部材を水洗いなどして清潔な状態に保つことができる。
【００４５】
本発明の態様として、上記容器本体と上記支持部材とのうち少なくとも一方の側の載置面との接触部分に、滑止手段を備えることができる。
【００４６】
上記構成により、載置面との接触部分が滑ることを阻止することができるため、液体容器を載置面に、より一層、安定して載置することができる。  
さらに、上記滑止手段をゴムなどの軟質な素材によって形成すれば、滑り止め効果を得るとともに、載置面を傷つけることを阻止することができる。
【００４７】
滑止手段は、例えば、ゴム、シリコン、ウレタンにより形成することができる。或いは、凹凸、突起などの形状や、滑り止め処理で形成することができる。
【００４８】
本発明は、容器本体の少なくとも側壁部分を被覆する側壁被覆部分を備えた液体容器の被覆カバー部材であって、上記側壁被覆部分にベース部材を装着し、上記容器本体を載置面に対して傾けた姿勢で突張り支持する支持部材を、上記ベース部材に備え、上記支持部材を、上記容器本体を突張り支持する突張支持姿勢、或いは、上記側壁部分に対して対向する対向姿勢に変更可能に上記容器本体に枢着部によって枢着した液体容器の被覆カバー部材で構成することができる。
【００４９】
上記構成により、被覆カバー部材を、容器本体に被覆するだけで、既存の液体容器を、突張支持姿勢、或いは、対向姿勢に変更可能な支持部材を備えた液体容器として構成することができる。
【００５０】
このため、既存の液体容器であっても、載置面に対して傾けた姿勢の容器本体を、支持部材により突っ張り支持した状態で安定して載置することができる。
【発明の効果】
【００５１】
本発明によれば、容易に組み立てることができ、製造コストを低減することができる簡素な構成であるとともに、蓋の開閉を繰り返しても、ガタつくことがない丈夫な構成により、蓋を押し上げてから回動起立させるといった略密封状態の容器の蓋開口動作をスムーズに行うことができる。
【発明を実施するための最良の形態】
【００５２】
この発明の一実施形態を以下図面と共に説明する。  
（第一実施形態）  
第一実施形態における飲料容器１１は、図１から図３に示すように構成している。  
図１は、飲料容器１１を斜め上方から視た外観図であり、図２は、飲料容器１１の要部である支持構造体１０を後方側から視た外観図であり、図３（ａ），（ｂ）は、一部破断して示した飲料容器１１のそれぞれ右側面図、正面図である。
【００５３】
飲料容器１１は、飲料飲料容器本体１２と被覆カバー部材１３とを備えて構成している。  
飲料容器本体１２は、内部に飲料を貯溜可能に略有底円筒状に構成した貯溜容器１２Ａを備えるとともに、該貯溜容器１２Ａの上部に口金部材１４と蓋部１５を備えている。
【００５４】
貯溜容器１２Ａの円筒状の外周側の側壁部分１６は、ステンレス、或いは、合成樹脂製である。
【００５５】
口金部材１４は、貯溜容器１２Ａの上端部に嵌合により装着され、蓋部１５は、口金部材１４上に枢着されている。上記口金部材１４には、内部の飲料を、直接口を付けて飲むための飲み口（図示せず）が設けられ、上記ワンタッチで開蓋することができる。  
なお、上記口金部材１４、及び、蓋部１５の正面部分（前方部分）には、蓋部１の開操作を押圧により可能とするスイッチ１７、このスイッチ１７の押圧をロック、或いは、ロック解除可能とするロック部材１８を備えている。
【００５６】
蓋部１５は、上記口金部材１４の後側の蓋枢着部に筒状をなす軸部材とねじりコイルばね２２を介して枢着される。つまり、蓋部１５は、上記ねじりコイルばね２２により開方向に常時付勢されている。
【００５７】
また、上記被覆カバー部材１３は、貯溜容器１２Ａ、及び、上記口金部材１４の略全体を収容して被覆可能に上部に開口部２３を有した有底円筒状の袋状に形成している。  
被覆カバー部材１３は、開口部２３の周方向の一部分を下方向にスリット状に切り欠いた開閉部２４を形成している。
【００５８】
上記開閉部２４の一方の端部には、その長さ方向に沿って一対のスライドファスナ２５の一方の側のスライドファスナ２５ａを縫着し、上記開閉部２４の他方の端部には、その長さ方向に沿って一対のスライドファスナ２５の他方の側のスライドファスナ２５ｂを縫着している。
【００５９】
さらに、開閉部２４は、スライダ２５ｃのスライド操作により一対のスライドファスナ同士を係脱することにより開閉可能に構成している。
【００６０】
上記飲料容器本体１２を被覆カバー部材１３に収容し、開閉部２４を閉じれば、被覆カバー部材１３により、飲料容器本体１２の側壁部分１６に略密着した状態で被覆することができる。
【００６１】
さらに、上記開閉部２４を開いた状態にすれば飲料容器１１を上記被覆カバー部材１３に対してスムーズに出し入れすることができる。
【００６２】
また、上記被覆カバー部材１３は、飲料容器本体１２の左側の側壁部分１６を被覆する側壁被覆部分２８に、飲料容器本体１２を載置面に対して傾けた姿勢で突張り支持する支持構造体１０を装着している。
【００６３】
上記支持構造体１０は、主にベース部材２６、支持部材２７、連結バンド３２、及び、トーションバネ３３を備えて構成している。  
上記支持部材２７とベース部材２６とは、枢着部１９によって枢着され、ベース部材２６に対して支持部材２７を上記飲料容器本体１２を突張り支持する突張支持姿勢（図１参照）、或いは、上記ベース部材２６に対して対向する対向姿勢（図３参照）に変更可能に枢着している。  
以下では、ベース部材２６、支持部材２７、及び、連結バンド３２の各部材の構成について詳述する。
【００６４】
上記ベース部材２６は、図４に示すような形態に合成樹脂により一体成形されている。  
なお、図４は、それぞれベース部材２６の正面図（ａ）、右側面図（ｂ）、幅方向中間部分の縦方向断面図（ｃ）、背面図（ｄ）、底面図（ｅ）、平面図（ｆ）、Ａ−Ａ端面図（ｇ）を示している。
【００６５】
上記ベース部材２６は、貯溜容器１２Ａの側壁部分１６と略同じ曲率で幅方向の全体を湾曲板状に形成した側壁取付部３４を備えるとともに、該側壁取付部３４の幅方向の中間部分に、該中間部分以外の部分と比較して厚み方向外側へ突出したベース側中間基部３５を備えている。
【００６６】
上記ベース部材２６は、縫着糸２９による縫着によって被覆カバー部材１３の側壁被覆部分２８と一体に装着している。
【００６７】
詳しくは、上記側壁取付部３４を正面視したときの４隅部分には、縫着糸２９を挿通可能な一対の挿通孔３７，３７を備え、該一対の挿通孔３７，３７と上記被覆カバー部材１３の生地とを縫着糸２９によって、一体に結合している。
【００６８】
上記ベース側中間基部３５は、上部に、支持部材２７と枢着する枢着部１９の構成部分であるベース側枢着構成部４２を備え、上下方向の略中間部分に、ベース側バンド取付部４３を備え、下部に、上記支持部材２７を該ベース部材２６に対して対向姿勢で保持するためのベース側保持部４４を備えている。
【００６９】
上記ベース側枢着構成部４２は、ベース側中間基部３５の上端部において幅方向へ中心軸を有する円筒状の形態で突出し、該ベース側枢着構成部４２の内部に、枢着棒（図示せず）を挿通可能な枢着軸貫通孔４５を有して形成している。
【００７０】
さらに、上記ベース側枢着構成部４２の幅方向の一方の端部には、トーションバネ３３を収容保持可能な座ぐり状に形成したトーションバネ保持部４６を備えている（図４（ｂ），（ｆ）参照）。
【００７１】
上記ベース側バンド取付部４３は、正面視矩形状に開口するとともに厚み方向に貫通して開口したバンド取付用開口部４７を備えるとともに、該バンド取付用開口部４７の幅方向の両縁部から中間部分手前側にまで突出した一対のバンド取付用突出部４８を備えている。  
すなわち、これら一対のバンド取付用突出部４８は、互いの先端部がバンド取付用開口部４７の幅方向の中間部において互いに対向するよう配設され、連結バンド３２の長さ方向の一方の端部を係合、或いは、取り外し可能に形成している。
【００７２】
上記ベース側保持部４４は、上記支持部材２７と係合可能に開口した被係合開口部５２と、被係合開口部５２に対する支持部材２７の係合を押圧により解除する係合解除用押圧部５３とを備えている。
【００７３】
詳しくは、上記ベース側保持部４４は、ベース側中間基部３５の下部の幅方向の両側を上方へスリット状に切り欠いた切欠き部分を形成することにより、該切欠き部分同士の幅間に、下方へ突片状とした突片部分によって形成される。
【００７４】
被係合開口部５２は、上記ベース側保持部４４の基部側部分に形成している。係合解除用押圧部５３は、ベース側保持部４４における上記被係合開口部５２よりも下側部分（先端側部分）を厚み方向外側へ突出した後、内側へ屈曲させた突出部分により形成している。
【００７５】
続いて支持部材２７について詳述する。支持部材２７は、図５に示すような形態に合成樹脂により一体成形されている。  
なお、図５は、それぞれ支持部材２７の正面図（ａ）、右側面図（ｂ）、幅方向中間部分の縦方向断面図（ｃ）、背面図（ｄ）、底面図（ｅ）、平面図（ｆ）、Ａ−Ａ端面図（ｇ）を示している。
【００７６】
支持部材２７は、その幅方向の中間部分に上下方向に支持側中間基部５５を備え、該支持側中間基部５５の幅方向の両外側へ突出した板状の支持突片部５６を備えている。
【００７７】
上記支持側中間基部５５は、上部に、上記枢着部１９の構成部材である支持側枢着構成部６２を備え、上下方向の略中間部分に支持側バンド取付部６３を備え、下部に、支持部材２７をベース部材２６に対して対向姿勢で保持するための支持側保持部６４を備えている。  
なお、支持側中間基部５５の表面（外面）側には、底浅の凹溝状に形成した凹状部分５５ａを形成している（図５（ａ），（ｃ）参照）。  
上記凹状部分５５ａに、シール、フィルム、或いは、プレートなどの薄肉部材（図示せず）を固着することにより、外側からバンド取付用開口部６６やバンド取付用突出部６７を視認不能に隠蔽して外観状の見栄えを良好に保つことができる。さらに、薄肉部材の表面側には、適宜、絵、文字などを表示して視認性を高めてるてもよい。
【００７８】
上記支持側枢着構成部６２は、ベース側枢着構成部４２とともに上記枢着部１９を構成したとき、該ベース側枢着構成部４２の幅方向の両外側に配されるよう、支持側中間基部５５の幅方向の両端側上部を上方へ突出した形態で形成している。さらに、上記支持側枢着構成部６２の内部には、ベース側枢着構成部４２の枢着軸貫通孔４５とともに、枢着棒（図示せず）を挿通可能な枢着軸貫通孔６５を備えている。
【００７９】
上記支持側バンド取付部６３は、基本的に上記ベース側バンド取付部４３と同様に、上記支持側中間基部５５の上下方向の略中間部分において、バンド取付用開口部６６、及び、一対のバンド取付用突出部６７を備えている。  
すなわち、これら一対のバンド取付用突出部６７は、連結バンド３２の長さ方向の他方の端部を係合、或いは、取り外し可能に形成している。
【００８０】
また、上記支持側保持部６４は、支持側中間基部５５の下端部において、下方へ突出した突片状の係合突片部７２により形成している。  
上記係合突片部７２は、支持部材２７を対向姿勢としたとき、上記ベース側保持部４４の上記被係合開口部５２の下端側の被係合開口縁部５２ａに係合し、支持部材２７を対向姿勢に保持する（図３（ａ）参照）。
【００８１】
続いて、上記支持突片部５６は、支持側中間基部５５から幅方向の両外側へ貯溜容器１２Ａの側壁部分１６と略同じ曲率で湾曲する突出形状であるとともに、正面視すると、図５（ａ）に示すように上方から下方へ徐々に末広がり形状で幅方向外側へ突出するよう板状に形成している。
【００８２】
さらに、上記支持突片部５６の下端部には、支持側中間基部５５の最下端部よりも下方へ突出して突張支持姿勢において載置面に突っ張り支持可能とする支持部７３を備えている。
【００８３】
上記連結バンド３２は、図２に示すように、その長さ方向の両端部に、上記支持側バンド取付部６３、及び、上記ベース側バンド取付部４３における各バンド取付用突出部４８，６７に取り付け可能な環状部７４を形成している。さらに、連結バンド３２は、支持部材２７が突張支持姿勢において支持部材２７とベース部材２６との間で張架可能な長さで形成している。
【００８４】
次に、上述の構成で構成した飲料容器１１の作用、効果について図６、及び、図７を用いて説明する。  
なお、図６は、飲料容器１１の作用説明図であり、図７（ｘ）は、図６（ａ）の領域ｘの拡大図を示し、図７（ｙ１），（ｙ２）は、図６（ａ）の領域ｙの拡大図を示す。
【００８５】
支持部材２７を、ベース部材２６に対して対向姿勢としたとき、該ベース部材２６と略密着した状態に保つことができる。
【００８６】
詳しくは、図７（ｘ）に示すように、支持部材２７を対向姿勢としたとき、支持部材２７とベース部材２６との間であって、殊に上記支持側保持部６４の下側には、間隙部Ａを構成することができる。
【００８７】
このため、支持部材２７を対向姿勢へ変更する際、連結バンド３２は、その自重により、長さ方向の中途部分が屈曲するとともに、下方へ垂下するなどして弛んだ形態となるが、このような連結バンド３２を上記間隙部Ａに収容することができる。
【００８８】
従って、支持部材２７を対向姿勢としたとき、ベース部材２６に対して支持部材２７が連結バンド３２の干渉によって浮き上がった状態になることがなく、また、支持部材２７を、突張支持姿勢から対向姿勢へスムーズに変更することができる。
【００８９】
さらに、上記支持部材２７を対向姿勢へ変更する際、支持部材２７をベース部材２６側へ軽く押し付けるだけで、撓み変形により係合突片部７２が被係合開口縁部５２ａに「カチリ」と係合させることができる。
【００９０】
よって、ベース部材２６に対して支持部材２７が不測に開くことがなく、上記支持部材２７を対向姿勢の状態にしっかりと保つことができる。
【００９１】
飲料容器１１の使用者が支持部材２７を対向姿勢から突張支持姿勢へ変更して、飲料容器１１を傾けた状態で載置面へ載置する手順について説明する。  
先ず使用者は、図７（ｙ２）に示すように、係合解除用押圧部５３を押圧する。これにより、被係合開口縁部５２ａは撓み変形し、係合突片部７２との係合が解除される。  
そうすると、図６（ｂ）に示すよに、枢着部１９に備えたトーションバネ３３の付勢力により支持部材２７は、ベース部材２６に対して離間する方向へ回動する。
【００９２】
やがて、支持部材２７とベース部材２６との間で連結バンド３２は、張架（伸張）した状態となり、この張架した状態の連結バンド３２によって、支持部材２７の回動が規制される。
【００９３】
このとき、支持部材２７は、ベース部材２６に対して例えば、７０度程度開いた突張支持姿勢となる。
【００９４】
そして、使用者は、図６（ｃ）に示すように、支持部材２７の支持部７３と被覆カバー部材１３の底部１３ａとの双方が載置面に接触するよう載置する。
【００９５】
このとき、飲料容器１１は、飲料容器本体１２が載置面に対して傾いた姿勢となるとともに、傾いた飲料容器本体１２を該飲料容器本体１２と載置面との間で支持部材２７により突張り支持した状態で載置することができる。
【００９６】
よって、飲料容器１１は、通常どおり起立した状態で載置した場合と比較して、飲料容器本体１２の重心を低い状態として載置することができる。また、飲料容器１１は、支持部材２７の幅方向両側に備えた２つの支持部７３，７３と、上記被覆カバー部材１３（飲料容器本体１２）の底部１３ａとの合計３点支持で支持することができる。
【００９７】
従って、凹凸や傾斜の有する載置面や、ガタが生じたり、柔らかな不安定な載置面に載置したり、さらには、あらゆる方向から外力が作用した場合であっても、抜群の安定感を保った状態で載置することができる。
【００９８】
さらに、飲料容器１１は、使用者が係合解除用押圧部５３を押圧するだけで対向姿勢の支持部材２７の状態をワンタッチで容易に解除することができるとともに、トーションバネ３３の付勢力により支持部材２７をベース部材２６に対して自発的に離間する側へ回動させることができる。
【００９９】
さらにまた、飲料容器１１は、支持部材２７が飲料容器本体１２を適切に突っ張り姿勢することのできる突張支持姿勢となったとき、連結バンド３２が張架するため、支持部材２７の回動を規制することができる。  
よって、支持部材２７の対向姿勢から突張支持姿勢への姿勢変更を容易に、且つ、正確に行うことができる。
【０１００】
また、飲料容器１１は、飲料容器本体１２から被覆カバー部材１３を取り外せば、飲料容器本体１２を支持構造体１０を備えない通常の飲料容器として用いることもできる。支持構造体１０を直接、飲料容器本体１２の側壁部分１６に、例えば、接着剤や螺子留めなどによって装着してもよいが、本実施形態の飲料容器１１のように、上記被覆カバー部材１３を介して飲料容器本体１２に支持構造体１０を装着する構成とすれば、飲料容器本体１２に対する支持構造体１０の分離が容易であるとともに、支持構造体１０を取り外した痕跡が側壁部分１６に残らないため、外観上、良好な見栄えに保つことができる。
【０１０１】
さらにまた、支持構造体１０を備えた被覆カバー部材１３のみを単独で扱うことができるため、水洗いなども容易に行うことができるとともに、その他の既存の飲料容器に被覆カバー部材１３を被覆すれば、支持構造体１０を備えた飲料容器１１を容易に構成することもできる。
【０１０２】
なお、支持構造体１０のベース部材２６を被覆カバー部材１３に対して装着する装着手段は、例えば、上述したよう縫着糸２９による縫着に限らず、例えば、鋲（リベット）による装着など他の装着手段であってもよい。
【０１０３】
但し、ベース側中間基部３５を、被覆カバー部材１３に対して縫着糸２９による縫着により装着すれば、縫着糸２９は、リベットなどの装着手段と異なり、柔軟であるため、飲料容器本体１２の側壁部分１６と接触により該側壁部分１６が傷付くことを防ぐことができるといった効果を得ることができる。
【０１０４】
以下では、他の実施形態における飲料容器について説明する。  
但し、以下で説明する飲料容器の構成のうち、上述した飲料容器１１と同様の構成については、同一の符号を付して、その説明を省略する。
【０１０５】
（第二実施形態）  
第二実施形態の飲料容器２１は、図８に示すように、飲料容器本体１２を支持姿勢に保持するための支持姿勢保持手段として、第一実施形態の飲料容器１１に備えた上記連結バンド３２とは異なる構成の支持姿勢保持手段を備えている。  
なお、図８は、第二実施形態の飲料容器２１の要部を示す外観図である。
【０１０６】
詳しくは、上記支持姿勢保持手段として、図８に示すように、ベース部材２６と支持部材２７とに連結するコ字型連結部材７５を備え、該コ字型連結部材７５は、全体を針金により正面視略コの字形状に形成している。
【０１０７】
すなわち、コ字型連結部材７５は、図８に示すように、幅方向の両側に、それぞれ支持部材２７とベース部材２６とを連結可能な長さを有した連結棒状部７５ａを備え、上記一対の連結棒状部７５ａの一方の端部どうしの間を横架する横架棒状部７５ｂを備えている。さらに、上記連結棒状部７５ａの他方の端部には、幅方向外側へ突出した突出片７５ｃを備えている。
【０１０８】
上記ベース部材２６には、図９に示すように、上記支持部材２７の回動に連動してスライド可能に上記コ字型連結部材７５の横架棒状部７５ｂを保持するスライド許容保持部７７を形成している。  
上記スライド許容保持部７７は、支持側中間基部５５の幅方向の両側部分に、上下方向に沿ってスリット状に形成している。
【０１０９】
一方、上記支持部材２７は、図１０に示すように、支持側中間基部５５の上下方向の略中間部分であって、幅方向の両端部に、それぞれコ字型連結部材７５の突出片７５ｃを係合して枢動可能に固定する凹状の連結部材枢動固定部７６を形成している。
【０１１０】
上記構成の飲料容器２１は、上記支持部材２７のベース部材２６に対する枢動に連動して上記コ字型連結部材７５を動作させることができるため、ベース部材２６と支持部材２７との間で上記コ字型連結部材７５が邪魔になることがなく、支持部材２７を、対向姿勢と突張り支持姿勢との間でスムーズに姿勢変更をすることができる。
【０１１１】
さらに、コ字型連結部材７５は、上記横架棒状部７５ｂがスライド許容保持部７７により係合保持し、上記連結棒状部７５ａによって支持部材２７がトーションバネ３３の付勢力により過度に回動することを規制することができるため、支持部材２７を突張支持姿勢の状態にしっかりと保持することができる。
【０１１２】
詳しくは、コ字型連結部材７５は、支持部材２７が対向姿勢においては、図１１（ａ）に示すように、略起立した姿勢、すなわち、支持部材２７やベース部材２６に対して略平行の姿勢となる。このため、支持部材２７とベース部材２６との間の内部空間にコ字型連結部材７５を収容することができる。
【０１１３】
そして、コ字型連結部材７５は、図１１（ｂ）に示すように、支持部材２７がベース部材２６に対して離間する側へ回動するに連動して、上記横架棒状部７５ｂがスライド許容保持部７７を、その下部から上方へスライドしながら動く。  
このため、支持部材２７を、対向姿勢から突張支持姿勢へ姿勢変更する際にコ字型連結部材７５によって阻害されることがなく、スムーズに姿勢変更することができる。
【０１１４】
そして、支持部材２７が突張支持姿勢となったとき、上記横架棒状部７５ｂは、スライド許容保持部７７の上端部に達する。これにより、スライド許容保持部７７は、それ以上、上記横架棒状部７５ｂが上方にスライドしないよう規制することができ、結果的に支持部材２７を突張支持姿勢に保つことができる。
【０１１５】
このため、飲料容器２１は、図１１（ｃ）に示すように、上述と同様に傾けた姿勢の飲料容器本体１２を支持部材２７により突っ張り支持した状態で載置面に載置することができる。
【０１１６】
（第三実施形態）  
第三実施形態の飲料容器３１は、支持姿勢保持手段を備えて構成し、該支持姿勢保持手段は、図１２に示すように、合成樹脂により全体を略Ｉ字形状に一体成形したＩ字型連結部材８２を備えている。
【０１１７】
上記Ｉ字型連結部材８２は、支持部材２７とベース部材２６とを連結可能な長さの連結棒状部８２ａを備え、連結棒状部８２ａの長さ方向の両端部に、それぞれ幅方向両外側へ突出した一対の突出片８２ｂ，８２ｃを備えている。  
ここで、上記Ｉ字型連結部材８２の長さ方向の上記ベース部材２６と連結する側の一対の突出片８２ｂをベース側突出片８２ｂに設定するとともに、上記Ｉ字型連結部材８２の長さ方向の上記支持部材２７と連結する側の一対の突出片８２ｃを支持側突出片８２ｃに設定する。
【０１１８】
上記ベース部材２６には、上記支持部材２７の回動に連動してスライド可能に上記Ｉ字型連結部材８２のベース側突出片８２ｂを保持するスライド許容保持部８６を形成している。  
上記スライド許容保持部８６は、支持側中間基部５５の幅方向の中間部分に、上下方向に沿ってスリット状に形成している。
【０１１９】
一方、上記支持部材２７は、支持側中間基部５５の上下方向の略中間部分であって、幅方向の中間部分に、Ｉ字型連結部材８２の支持側突出片８２ｃを枢動可能に固定する連結部材枢動固定部８５を形成している。
【０１２０】
上述した構成の飲料容器３１も、第二実施形態の飲料容器２１と同様に、上記支持部材２７のベース部材２６に対する枢動に連動して上記Ｉ字型連結部材８２が動作するため、支持部材２７を、対向姿勢と突張り支持姿勢との間でスムーズに姿勢変更をすることができる。
【０１２１】
さらに、Ｉ字型連結部材８２のベース側突出片８３がスライド許容保持部８６の上端部分に達したとき、該スライド許容保持部８６の上端部分によって、それ以上、上方へスライドしないよう規制することができるため、支持部材２７を突張支持姿勢の状態にしっかりと保持することができる。
【０１２２】
（第四実施形態）  
第四実施形態の飲料容器４１は、図１３（ａ）に示すように、基本的に第一実施形態の飲料容器１１に、ベース部材２６に対する上記支持部材２７の最大回動角度を調節可能な角度調節手段を備えて構成している。
【０１２３】
詳しくは、第四実施形態の飲料容器４１は、支持部材２７における上記支持側中間基部５５に、第一実施形態のような支持側バンド取付部６３を構成せず、角度調節手段を備えて構成している。  
上記角度調節手段としては、上記支持側中間基部５５における上下方向の略中間部分に、連結バンド９３の一方の端部側を挿通可能に幅方向へスリット状に開口した複数のバンド挿通部９２により構成している。  
上記支持側中間基部５５における上下方向の略中間部分には、図１３（ａ）中の支持部材２７の断面図、並びに、Ｂ−Ｂ線矢視図に示したように、４つの上記バンド挿通部９２を上下方向の各部位に配設している。
【０１２４】
連結バンド９３は、支持部材２７と連結する側の一方の端部に、環状部７４を形成せずに、線状のままで形成している。さらに、連結バンド９３は、その長さ方向の一方の端部側を４つのバンド挿通部９２の上方側から下方側のそれぞれに対して順に挿通して支持部材２７の表面側（外面側）、裏面側（内面側）に対して出し入れを繰り返した形態で配している。なお、このとき上記Ｉ字型連結部材８２の一方の端部側の残余部分は、支持部材２７の裏面側で垂下した状態となる。
【０１２５】
よって、連結バンド９３と上記バンド挿通部９２の縁部との接触抵抗により、支持部材２７に対して連結バンド９３の一方の端部側を一体に連結することができる。
【０１２６】
上述した構成の飲料容器４１は、連結バンド９３がその長さ方向へ支持部材２７に対して不測にスライドすることがないため、傾けた姿勢の飲料容器本体１２を、所望の角度に設定した支持部材２７により突っ張り支持した突張支持姿勢で載置することができる。
【０１２７】
さらに、支持部材２７のベース部材２６に対する角度を意図的に調節する際には、連結バンド９３の一方の端部側を４つのバンド挿通部９２に対して長さ方向のいずれかの方向へ意図的にスライドさせれば、支持部材２７の角度調節をすることができる。
【０１２８】
詳しくは、連結バンド９３を、その支持部材２７とベース部材２６との間の長さが短くなるようスライドさせれば、支持部材２７のベース部材２６に対する角度を小さく調整することができる。このように、支持部材２７を、ベース部材２６に対する角度を小さくした突張支持姿勢とすれば、例えば、載置スペースが狭い載置面でも飲料容器４１を載置することが可能となる。
【０１２９】
逆に、連結バンド９３を、その支持部材２７とベース部材２６との間の長さが長くなるようスライドさせれば、支持部材２７のベース部材２６に対する角度を大きく調整することができる。このように、支持部材２７を、ベース部材２６に対する角度を大きくした突張支持姿勢とすれば、例えば、凹凸の激しい不安定な載置面に対してもより飲料容器４１を安定して載置することが可能となる。
【０１３０】
（第五実施形態）  
第五実施形態の飲料容器５１は、図１３（ｂ）に示すように、第四実施形態の飲料容器４１とは異なる角度調節手段として、一対の面ファスナ９４を備えて構成している。
【０１３１】
詳しくは、一対の面ファスナ９４の一方の面ファスナ９４ａは、ベース部材２６の支持側中間基部５５において上下方向に沿って添着している。
【０１３２】
一対の面ファスナ９４の他方の面ファスナ９４ｂは、連結バンド９８の長さ方向の上記ベース部材２６と連結する端部側に、上記一方の面ファスナ９４ａの上下方向の所定部分と係合可能に縫着している。
【０１３３】
上記構成の第五実施形態の飲料容器５１は、一方の面ファスナ９４ａに対する他方の面ファスナ９４ｂの重合箇所を上下方向において変更することにより、支持部材２７とベース部材２６との間の連結バンド９８の姿勢を変更できる。  
例えば、連結バンド９８は、その他方の面ファスナ９４ｂを、ベース部材２６に添着した一方の面ファスナ９４ａの下側部分に係合させれば、図１３（ｂ）中、仮想線で示したような姿勢となり、支持部材２７のベース部材２６に対する角度を小さく調整することができる。
【０１３４】
このように、飲料容器５１は、側壁部分１６に対する上記支持部材２７の最大回動角度を調節するできる。
【０１３５】
上述した構成の飲料容器５１は、第四実施形態の飲料容器４１が奏する作用、効果に加えて、一対の面ファスナ９４ａ，９４ｂどうしの着脱するだけでよいため、ベース部材２６に対する上記支持部材２７の最大回動角度の調節を容易に行うことができるといった効果を得ることができる。
【０１３６】
なお、連結バンド９８とベース部材２６とを着脱可能に固定する手段は、一対の面ファスナ９４ａ，９４ｂに限らず、例えば、上下方向に配設した複数の一対のスナップや上下方向に形成したスライドファスナにより形成することもできる。
【０１３７】
（第六実施形態）  
第六実施形態の飲料容器６１は、図１４に示すように、載置面との接触部分に、ゴム製の滑止部材９５を備えている。  
詳しくは、上記滑止部材９５は、支持部材２７の幅方向の両側に有する支持部７３のそれぞれに取り付けた２つの支持側滑止部材９６と、上記被覆カバー部材１３（飲料容器本体１２）の底部１３ａに取り付けた容器本体側滑止部材９７とで構成している。
【０１３８】
上記支持側滑止部材９６は、板状の支持部７３に嵌め込み可能なスリットを有したチップ状に形成している。  
上記容器本体側滑止部材９７は、上記被覆カバー部材１３の底部に、嵌め込み可能に、底浅の有底円筒状に形成している。
【０１３９】
上記構成により、支持側滑止部材９６、及び、容器本体側滑止部材９７は、ゴム製であるため、合成樹脂などの支持部７３の材質や被覆カバー部材１３の生地と比較して、高い摩擦抵抗を有しているとともに、優れた弾性を有している。
【０１４０】
このため、飲料容器６１は、例えば、振動などが生じる載置面に載置しても滑ることなく、又、容器本体に貯溜した飲料などの重量により滑止部材９５が弾性変形するため（図１４中の要部拡大図（ｂ），（ｃ）参照）、より一層、載置面に対して安定して載置することができる。
【０１４１】
本発明の飲料容器は、上述したように様々な実施形態により形成することができるが、上述した実施形態に限定せず、その他にも様々な実施形態で構成することができる。
【０１４２】
例えば、第二実施形態、第三実施形態の飲料容器２１，３１において、スライド許容保持部７７，８６をベース部材２６側に形成し（図９、図１２参照）、連結部材枢着固定部７６，８５を支持部材２７側に形成したが（図１０、図１２参照）、逆に構成してもよい。  
すなわち、スライド許容保持部７７，８６を支持部材２７側に形成し、連結部材枢着固定部７６，８５をベース部材２６側に形成してもよい。
【０１４３】
また、上述した実施形態と、この発明の構成との対応において、この実施形態の飲料容器１１，２１，３１，４１，５１，６１は、この発明の液体容器に対応し、以下同様に、
の飲料容器本体１２は、容器本体に対応し、
紐状保持手段は、連結バンド３２，９３，９８に対応し、
棒状保持手段は、コ字型連結部材７５，Ｉ字型連結部材８２に対応し、
トーションバネ３３は、付勢手段に対応し、
係合突片部７２は、係合部に対応し、
被係合開口縁部５２ａは、被係合部に対応し、
バンド挿通部９２、又は、一対の面ファスナ９４は、角度調節手段に対応するも、
この発明は、上述の実施形態の構成のみに限定されるものではなく、多くの実施の形態を得ることができる。
【図面の簡単な説明】
【０１４４】
【図１】第一実施形態の飲料容器を載置した状態の外観図。
【図２】第一実施形態の支持構造体を背面側から視た外観図。
【図３】第一実施形態の飲料容器の右側面、正面の各側から視た構成説明図。
【図４】第一実施形態のベース部材の構成説明図。
【図５】第一実施形態の支持部材の構成説明図。
【図６】第一実施形態の飲料容器の作用説明図。
【図７】第一実施形態の飲料容器の作用説明図。
【図８】第二実施形態の飲料容器の構成説明図。
【図９】第二実施形態のベース部材の構成説明図。
【図１０】第二実施形態の支持部材の構成説明図。
【図１１】第二実施形態の飲料容器の作用説明図。
【図１２】第三実施形態の飲料容器の構成説明図。
【図１３】第四実施形態の飲料容器の構成説明図（ａ），第五実施形態の飲料容器の構成説明図（ｂ）。
【図１４】第六実施形態の飲料容器の構成説明図。
【符号の説明】
【０１４５】
１０，２０，３０，４０，５０，６０…支持構造体
１１，２１，３１，４１，５１，６１…飲料容器
１２…飲料容器本体
１３…被覆カバー部材
１６…側壁部分
１９…枢着部
２６…ベース部材
２７…支持部材
３２，９３，９８…連結バンド
３３…トーションバネ
３４…側壁取付部
４２…ベース側枢着構成部
４３…ベース側バンド取付部
４４…ベース側保持部
５２ａ…被係合開口縁部
６２…支持側枢着構成部
６３…支持側バンド取付部
６４…支持側保持部
７２…係合突片部
７５…コ字型連結部材
８２…Ｉ字型連結部材
７７，８６…スライド許容保持部
９２…バンド挿通部
９４…一対の面ファスナ
９５（９６，９７）…滑止部材
【図１】
2009208810.tif 000003
【図２】
2009208810.tif 000004
【図３】
2009208810.tif 000005
【図４】
2009208810.tif 000006
【図５】
2009208810.tif 000007
【図６】
2009208810.tif 000008
【図７】
2009208810.tif 000009
【図８】
2009208810.tif 000010
【図９】
2009208810.tif 000011
【図１０】
2009208810.tif 000012
【図１１】
2009208810.tif 000013
【図１２】
2009208810.tif 000014
【図１３】
2009208810.tif 000015
【図１４】
2009208810.tif 000016